(57)【要約】【課題】本発明には、レンズ及び電子機器が提供される。【解決手段】そのうち、レンズは、鏡筒と、鏡筒の内部に収容される第１レンズ及び第２レンズとを備え、第１レンズは、第１光学部と、第１光学部の外周に取り囲んで設置された第１支持部とを含み、第２レンズは、第１光学部に対応する第２光学部と、第２光学部の外周に取り囲んで設置された第２支持部とを含み、第１支持部の像側には、第１傾斜面が設置されており、第２支持部の物体側には、第１傾斜面と貼り合わせるための第２傾斜面が設置されている。本発明に提供されたレンズは、第１レンズに第１傾斜面が設置され、第２レンズに第２傾斜面が設置され、第１傾斜面が第２傾斜面に当接することで、第１レンズと第２レンズを組み立てる際に、第１傾斜面と第２傾斜面を合わせることにより、第１レンズの光軸と第２レンズの光軸を重なり合わせ、第１レンズと第２レンズの組み立て精度を向上させ、レンズの結像品質を向上させることができる。【選択図】図１
2020109476.tif 000002
【特許請求の範囲】
【請求項１】
鏡筒と、前記鏡筒の内部に収容される、光軸を有するレンズ群とを備え、前記レンズ群は、物体側から像側まで順次に積層設置された第１レンズ及び第２レンズを含み、前記第１レンズは、第１光学部と、前記第１光学部の外周に取り囲んで設置された第１支持部とを含み、前記第２レンズは、前記第１光学部に対応する第２光学部と、前記第２光学部の外周に取り囲んで設置された第２支持部とを含み、前記第１支持部は、第１物体側面と、前記第１物体側面に対向して設置された第１像側面と、前記第１物体側面と前記第１像側面を接続する第１側壁とを含み、前記第２支持部は、第２物体側面と、前記第２物体側面に対向して設置された第２像側面と、前記第２物体側面と前記第２像側面を接続する第２側壁とを含むレンズであって、前記第１像側面は、前記第１光学部から前記光軸から離れた方向に向かって延びる第１延出面と、前記第１延出面と前記第１側壁を接続する第１傾斜面とを含み、前記第１傾斜面は像側から物体側へ前記光軸から離れた方向に向かって傾斜し、前記第２物体側面は、前記第２光学部から前記光軸から離れた方向に向かって延びる第２延出面と、前記第２延出面から物体側に向かって延びる第２傾斜面と、前記第２傾斜面と前記第２側壁を接続する接続面とを含み、前記第２傾斜面は前記光軸から離れた方向に向かって延び、前記第１傾斜面は前記第２傾斜面に当接し、前記第１側壁から前記光軸までの距離は前記第２側壁から前記光軸までの距離よりも小さいことを特徴とするレンズ。
【請求項２】
前記鏡筒は、光通過孔が開設された第１筒壁と、前記第１筒壁から像側に向かって延びる第２筒壁とを含み、前記第１筒壁は物体側から離れた内壁面を有し、前記内壁面には、溝が物体側に向かって凹設されており、前記第１物体側面には、前記溝に係合する突起が突設されていることを特徴とする請求項１に記載のレンズ。
【請求項３】
前記溝は、第１溝側壁、溝底壁及び第２溝側壁によって形成されており、前記第１溝側壁、前記溝底壁及び前記第２溝側壁は前記鏡筒の径方向に内から外へ順次に設置されており、前記第１溝側壁は前記光軸から徐々に離れるように前記溝底壁まで延び、前記突起は前記第１溝側壁と貼り合わせて設置された第３傾斜面を有することを特徴とする請求項２に記載のレンズ。
【請求項４】
前記溝は前記光軸を取り囲んで設置された環状の溝であることを特徴とする請求項２に記載のレンズ。
【請求項５】
前記第１延出面と前記第２延出面は間隔をあけて設置されており、前記レンズは、前記第１延出面と前記第２延出面との間に介在している第１遮光シートをさらに備えることを特徴とする請求項１乃至４のいずれか一項に記載のレンズ。
【請求項６】
前記レンズは、前記第２レンズの像側に設置されかつ順次に積層設置された第２遮光シート、第３レンズ、第３遮光シート、第４レンズ、第４遮光シート、第５レンズ、第５遮光シート及び第６レンズをさらに備えることを特徴とする請求項５に記載のレンズ。
【請求項７】
前記レンズは、第５遮光シートとともに物体側から像側へ前記第５レンズと前記第６レンズとの間に積層設置された遮光板をさらに備えることを特徴とする請求項６に記載のレンズ。
【請求項８】
請求項１乃至７のいずれか一項に記載のレンズを備える電子機器。
【請求項９】
前記電子機器は携帯電話又はカメラであることを特徴とする請求項８に記載の電子機器。
【発明の詳細な説明】
【技術分野】
【０００１】
本発明は、光学結像技術の分野に関し、特に、レンズ及び当該レンズを用いた電子機器に関する。
【背景技術】
【０００２】
近年、結像技術の発展及び結像機能を有する電子製品の登場に伴い、光学レンズは各種の製品に広く適用されている。幾つかの小型レンズについて、ヘッドの寸法の制限によって、物体側に近い第１レンズの外径は小さく製造されて鏡筒の肉厚を確保しかできず、外径が小さくかつレンズの寸法の制限によって、鏡筒の内側壁に係合するためのスペースがなく、物体側に近い第１レンズの光軸と第２レンズの光軸が重なり合うことを確保できず、第１レンズと第２レンズの組み立て精度が悪くなり、レンズの結像品質に悪影響を与えてしまう。
【０００３】
したがって、第１レンズと第２レンズの組み立て精度が悪くなり、レンズの結像品質に悪影響を与えてしまうという従来のレンズの問題を解決するためのレンズを提供する必要がある。
【発明の概要】
【発明が解決しようとする課題】
【０００４】
本発明は、第１レンズと第２レンズの組み立て精度を向上させ、レンズの結像品質を向上させることができるレンズを提供することを１つの目的とする。
【課題を解決するための手段】
【０００５】
本発明の１つの目的は、以下の技術案を採用して実現する。
【０００６】
鏡筒と、前記鏡筒の内部に収容される、光軸を有するレンズ群とを備え、前記レンズ群は、物体側から像側まで順次に積層設置された第１レンズ及び第２レンズを含み、前記第１レンズは、第１光学部と、前記第１光学部の外周に取り囲んで設置された第１支持部とを含み、前記第２レンズは、前記第１光学部に対応する第２光学部と、前記第２光学部の外周に取り囲んで設置された第２支持部とを含み、前記第１支持部は、第１物体側面と、前記第１物体側面に対向して設置された第１像側面と、前記第１物体側面と前記第１像側面を接続する第１側壁とを含み、前記第２支持部は、第２物体側面と、前記第２物体側面に対向して設置された第２像側面と、前記第２物体側面と前記第２像側面を接続する第２側壁とを含み、前記第１像側面は、前記第１光学部から前記光軸から離れた方向に向かって延びる第１延出面と、前記第１延出面と前記第１側壁を接続する第１傾斜面とを含み、前記第１傾斜面は像側から物体側へ前記光軸から離れた方向に向かって傾斜し、前記第２物体側面は、前記第２光学部から前記光軸から離れた方向に向かって延びる第２延出面と、前記第２延出面から物体側に向かって延びる第２傾斜面と、前記第２傾斜面と前記第２側壁を接続する接続面とを含み、前記第２傾斜面は前記光軸から離れた方向に向かって延び、前記第１傾斜面は前記第２傾斜面に当接し、前記第１側壁から前記光軸までの距離は前記第２側壁から前記光軸までの距離よりも小さいレンズ。
【０００７】
１つの改良形態として、前記鏡筒は、光通過孔が開設された第１筒壁と、前記第１筒壁から像側に向かって延びる第２筒壁とを含み、前記第１筒壁は物体側から離れた内壁面を有し、前記内壁面には、溝が物体側に向かって凹設されており、前記第１物体側面には、前記溝に係合する突起が突設されている。
【０００８】
１つの改良形態として、前記溝は、第１溝側壁、溝底壁及び第２溝側壁によって形成されており、前記第１溝側壁、前記溝底壁及び前記第２溝側壁は前記鏡筒の径方向に内から外へ順次に設置されており、前記第１溝側壁は前記光軸から徐々に離れるように前記溝底壁まで延び、前記突起は前記第１溝側壁と貼り合わせて設置された第３傾斜面を有する。
【０００９】
１つの改良形態として、前記溝は前記光軸を取り囲んで設置された環状の溝である。
【００１０】
１つの改良形態として、前記第１延出面と前記第２延出面は間隔をあけて設置されており、前記レンズは、前記第１延出面と前記第２延出面との間に介在している第１遮光シートをさらに備える。
【００１１】
１つの改良形態として、前記レンズは、前記第２レンズの像側に設置されかつ順次に積層設置された第２遮光シート、第３レンズ、第３遮光シート、第４レンズ、第４遮光シート、第５レンズ、第５遮光シート及び第６レンズをさらに備える。
【００１２】
１つの改良形態として、前記レンズは、第５遮光シートとともに物体側から像側へ前記第５レンズと前記第６レンズとの間に積層設置された遮光板をさらに備える。
【００１３】
本発明は、上記のようなレンズを備える電子機器を提供することをもう１つの目的とする。
【００１４】
１つの改良形態として、前記電子機器は携帯電話又はカメラである。
【００１５】
従来技術に比べて、本発明の実施形態は、第１レンズに第１傾斜面が設置され、第２レンズに第２傾斜面が設置され、第１傾斜面が第２傾斜面に当接することで、第１レンズと第２レンズを組み立てる際に、第１傾斜面と第２傾斜面を合わせることにより、第１レンズの光軸と第２レンズの光軸を重なり合わせ、第１レンズと第２レンズの組み立て精度を向上させ、レンズの結像品質を向上させることができる。
【図面の簡単な説明】
【００１６】
【図１】本発明の実施例に提供されたレンズの構成模式図である。
【図２】第１レンズの断面模式図である。
【図３】第２レンズの断面模式図である。
【図４】鏡筒の断面模式図である。
【図５】図４におけるＡ部分の拡大図である。
【発明を実施するための形態】
【００１７】
以下、図面及び実施形態を組み合わせて本発明をさらに説明する。
【００１８】
図１を参照すると、本発明の実施例には、鏡筒１０と、鏡筒１０の内部に収容される、光軸Ｌを有するレンズ群２０とを備え、レンズ群２０は、物体側から像側まで順次に積層設置された第１レンズ２１、第２レンズ２２、第３レンズ２３、第４レンズ２４、第５レンズ２５及び第６レンズ２６を含むレンズ１００が提供される。当該レンズ１００は、第１レンズ２１と第２レンズ２２との間に設置された第１遮光シート３１と、第２レンズ２２と第３レンズ２３との間に設置された第２遮光シート３２と、第３レンズ２３と第４レンズ２４との間に設置された第３遮光シート３３と、第４レンズ２４と第５レンズ２５との間に設置された第４遮光シート３４と、物体側から像側へ第５レンズ２５と第６レンズ２６との間に積層設置された遮光板３６及び第５遮光シート３５とを備える。遮光板３６は第５レンズ２５と第６レンズ２６との間に発生した迷光を吸収し、レンズ１００の結像品質を向上させることに用いられる一方、第５レンズ２５と第６レンズ２６との間の距離を調整することにも用いられる。理解できるように、第５遮光シート３５及び遮光板３６は第５レンズ２５と第６レンズ２６との間に設置されることに限定されず、第５遮光シート３５及び遮光板３６は隣接する他の任意の２つのレンズの間に設置されてもよく、具体的に実際の必要に応じて設置される。
【００１９】
説明する必要があるが、レンズ群２０は、上記の第１レンズ２１、第２レンズ２２、第３レンズ２３、第４レンズ２４、第５レンズ２５及び第６レンズ２６を含むように設置されることに限定されない。例えば、レンズ群２０は、上記の第１レンズ２１及び第２レンズ２２を含み、又は、上記の第１レンズ２１、第２レンズ２２及び第３レンズ２３を含み、又は、上記の第１レンズ２１、第２レンズ２２、第３レンズ２３及び第４レンズ２４を含み、又は、上記の第１レンズ、第２レンズ、第３レンズ２３、第４レンズ２４及び第５レンズ２５を含み、さらに６つ以上のレンズを含むように設置されてもよく、具体的に実際の必要に応じて設定される。
【００２０】
図２〜図３を参照すると、本実施例の１つの改良形態として、第１レンズ２１は、第１光学部２１１と、第１光学部２１１の外周に取り囲んで設置された第１支持部２１２とを含み、第２レンズ２２は、第１光学部２１１に対応する第２光学部２２１と、第２光学部２２１の外周に取り囲んで設置された第２支持部２２２とを含む。第１支持部２１２は、第１物体側面２１３と、第１物体側面２１３に対向して設置された第１像側面２１４と、第１物体側面２１３と第１像側面２１４を接続する第１側壁２１５とを含む。第２支持部２２２は、第２物体側面２２３と、第２物体側面２２３に対向して設置された第２像側面２２４と、第２物体側面２２３と第２像側面２２４を接続する第２側壁２２５とを含む。第１像側面２１４は、第１光学部２１１から光軸Ｌから離れた方向に向かって延びる第１延出面２１４１と、第１延出面２１４１と第１側壁２１５を接続する第１傾斜面２１４２とを含み、第１傾斜面２１４２は像側から物体側へ光軸Ｌから離れた方向に向かって傾斜し、第２物体側面２２３は、第２光学部２２１から光軸から離れた方向に向かって延びる第２延出面２２３１と、第２延出面２２３１から物体側に向かって延びる第２傾斜面２２３２と、第２傾斜面２２３２と第２側壁２２５を接続する接続面２２３３とを含み、第２傾斜面２２３２は光軸から離れた方向に向かって延びる。第１傾斜面２１４２は第２傾斜面２２３２に当接し、第１側壁２１５から光軸Ｌまでの距離は第２側壁２２５から光軸Ｌまでの距離よりも小さい。
【００２１】
当該設計方法で、第１レンズ２１に第１傾斜面２１４２が設置され、第２レンズ２２に第２傾斜面２２３２が設置され、第１傾斜面２１４２が第２傾斜面２２３２に当接することで、第１レンズ２１と第２レンズ２２を組み立てる際に、第１傾斜面２１４２と第２傾斜面２２３２を合わせることにより、第１レンズ２１の光軸と第２レンズ２２の光軸を重なり合わせ、第１レンズ２１と第２レンズ２２の組み立て精度を向上させ、レンズ１００の結像品質を向上させることができる。
【００２２】
図２〜図５を参照すると、本実施例の１つ改良形態として、鏡筒１０は、光通過孔１１が開設された第１筒壁１２と、第１筒壁１２から像側に向かって延びる第２筒壁１３とを含み、第１筒壁１２は物体側から離れた内壁面１２１を有し、内壁面１２１には、溝１２２が物体側に向かって凹設されており、第１物体側面２１３には、溝１２２に係合する突起２１６が突設されている。当該設計方法で、第１筒壁１２の内壁面１２１に溝１２２が凹設され、第１支持部２１２に溝１２２に係止される突起２１６が第１筒壁１２側に向かって突設されていることで、第１レンズ２１は鏡筒１０上に位置決めして取り付けられることができることによって、第１レンズ２１の光軸と光通過孔１１の光軸を重なり合わせ、光通過孔１１を通過する光はより良好な角度で第１レンズ２１を通過することができ、レンズ１００の結像品質を向上させる。
【００２３】
本実施例の１つの改良形態として、溝１２２は、第１溝側壁１２３、溝底壁１２４及び第２溝側壁１２５によって形成されており、第１溝側壁１２３、溝底壁１２４及び第２溝側壁１２５は鏡筒１０の径方向に内から外へ順次に設置されており、第１溝側壁１２３は光軸Ｌから徐々に離れるように溝底壁１２４まで延び、突起２１６は第１溝側壁１２３と貼り合わせて設置された第３傾斜面２１７を有する。当該設計方法で、溝１２２の第１溝側壁１２３を斜めに設置して、突起２１６を、第１溝側壁１２３と貼り合わせて設置された第３傾斜面２１７を有するように設置することで、第１レンズ２１が鏡筒１０に取り付けられる際に、第１レンズ２１の光軸と光通過孔１１の光軸が重なり合うことをさらに確保でき、レンズ１００の結像品質を向上させる。
【００２４】
本実施例の１つの改良形態として、溝１２２は光軸Ｌを取り囲んで設置された環状の溝である。突起２１６は光軸を取り囲んで設置された環状の突起である。理解できるように、溝１２２は環状の溝のような態様として設定されることに限定されず、例えば、溝１２２は光軸Ｌを取り囲んで設置された幾つかのサブ溝を含むように設置され、突起２１６はサブ溝に対応する幾つかのボスを含むように設置されてもよく、設置された突起２１６と溝１２２を合わせることで第１レンズ２１の光軸と第２レンズ２２の光軸を重なり合わせることができればよい。
【００２５】
本実施例の１つの改良形態として、第１延出面２１４１と第２延出面２２３１は間隔をあけて設置されており、第１遮光シート３１は第１延出面２１４１と第２延出面２２３１との間に介在している。
【００２６】
本発明には、上記のようなレンズ１００を備える電子機器が提供される。好ましくは、当該電子機器は携帯電話又はカメラである。
【００２７】
以上に説明されたのは、本発明の実施形態に過ぎず、当業者にとっては、本発明の思想から逸脱しない限り、さらに改良することができ、これらの改良も本発明の保護範囲に含まれると理解すべきである。
【図１】
2020109476.tif 000003
【図２】
2020109476.tif 000004
【図３】
2020109476.tif 000005
【図４】
2020109476.tif 000006
【図５】
2020109476.tif 000007
【手続補正書】
【提出日】令和2年4月29日(2020.4.29)
【手続補正１】
【補正対象書類名】特許請求の範囲
【補正対象項目名】請求項１
【補正方法】変更
【補正の内容】
【請求項１】
鏡筒と、前記鏡筒の内部に収容される、光軸を有するレンズ群とを備え、前記レンズ群は、物体側から像側まで順次に積層設置された第１レンズ及び第２レンズを含み、前記第１レンズは、第１光学部と、前記第１光学部の外周に取り囲んで設置された第１支持部とを含み、前記第２レンズは、前記第１光学部に対応する第２光学部と、前記第２光学部の外周に取り囲んで設置された第２支持部とを含み、前記第１支持部は、第１物体側面と、前記第１物体側面に対向して設置された第１像側面と、前記第１物体側面と前記第１像側面とを接続する第１側壁とを含み、前記第２支持部は、第２物体側面と、前記第２物体側面に対向して設置された第２像側面と、前記第２物体側面と前記第２像側面とを接続する第２側壁とを含むレンズであって、前記第１像側面は、前記第１光学部から前記光軸から離れた方向に向かって延びる第１延出面と、前記第１延出面と前記第１側壁とを接続する第１傾斜面とを含み、前記第１傾斜面は像側から物体側へ前記光軸から離れた方向に向かって傾斜し、前記第２物体側面は、前記第２光学部から前記光軸から離れた方向に向かって延びる第２延出面と、前記第２延出面から物体側に向かって延びる第２傾斜面と、前記第２傾斜面と前記第２側壁とを接続する接続面とを含み、前記第２傾斜面は前記光軸から離れた方向に向かって延び、前記第１傾斜面が前記第２傾斜面に当接することで、前記第１レンズの光軸と前記第２レンズの光軸とを重なり合わせ、前記第１側壁から前記光軸までの距離は前記第２側壁から前記光軸までの距離よりも小さいことを特徴とするレンズ。